(57)【要約】【課題】      枠体と反ハンドル側の側板の係脱作業が容易で良好な握持保持性が得られる魚釣用リ−ルを提供することである。【解決手段】  枠体１の左側枠１ａに開口部１ｆが形成されてその外側の複数箇所に中心に向けてＬ字形の係合部１ｇが形成され、開口部１ｆの前側の上部の左右両側枠１ａに透孔１ｈが形成されて螺杆５がハンドル側から挿通されている。  反ハンドル側の左側側板２に大径の筒体２ｂが形成されて筒体２ｂの先端外周には開口部１ｆの内径に嵌合される嵌合筒部２ｃが形成され、筒体２ｂの外周には軸線方向に複数本の突堤が形成されて突堤に周方向のスリ割溝２ｄで周方向の矩形の係合部２ｅが形成されて係合部１ｇが係合され、透孔１ｈ位置の外側の側板２にはナット１３が埋設されて螺杆５のネジ部５ａが螺合される。【選択図】        図２
2005218401.tif 000002
【特許請求の範囲】
【請求項１】
リ−ル本体の枠体の両側に装着された左右側板間に配置されたスプ−ルを前記一方の側板に設けたハンドルの回転操作で巻き取り回転可能とすると共に、他方の側板内側に一体的に形成した筒体を前記枠体の開口部に嵌挿し、該筒体と開口部との間に形成した係合手段により、前記枠体に対して前記反ハンドル側の他方の側板を着脱自在に抜け止め固定した魚釣用リ−ルにおいて、前記ハンドル側の側板から反ハンドル側の側板に向けて嵌挿された螺杆の締め付けによって、該反ハンドル側の側板を前記枠体に対して回り止め固定したことを特徴とする魚釣用リ−ル。
【請求項２】
前記螺杆は、スプ−ル軸より上部で且つ前方におけるリ−ル本体の左右側板間に配置されていることを特徴とする請求項１記載の魚釣用リ−ル。
【請求項３】
前記螺杆は、枠体の両側間に露出状態で配置されていることを特徴とする請求項２記載の魚釣用リ−ル。
【発明の詳細な説明】
【技術分野】
【０００１】
本発明は、リ−ル本体の側板間に回転自在に支持したスプ−ルを、一方の側板に設けたハンドルの回転操作によって巻き取り回転して釣糸をスプ−ルに巻回する魚釣用リ−ルの改良に関する。
【背景技術】
【０００２】
リ−ル本体の側板間にスプ−ルを回転自在に支持してなる魚釣用リ−ルのメンテナンス（スプ−ル交換、内部の清掃、バックラッシュ現象の復元作業等）を行い易くするために、リ−ル本体のフレ−ムに対して反ハンドル側の側板の着脱を容易とし、スプ−ルの着脱や内部清掃を容易としたものが、特許文献１及び特許文献２等で見られるように知られている。
【特許文献１】実用新案登録第２５７２０８５号公報
【特許文献２】特開平８−２５６６４８号公報
【発明の開示】
【発明が解決しようとする課題】
【０００３】
解決しようとする問題点は、特許文献１の公報の構成は、反ハンドル側側板に一体形成した爪部を有する筒部を、係合凹部を有するフレ−ムのスプ−ル開口部に嵌合回転して抜け止め固定するに際し、筒部の爪部とフレ−ムの係合凹部との間に弾性部材を介在して反ハンドル側側板をフレ−ムに弾性作用で密着固定する構成であるが、フレ−ムのスプ−ル開口部（係合凹部）に反ハンドル側側板の筒部（爪部）を嵌合回転させて係止する時、弾性力に抗して回転させることになるために重くなり、作業性が悪い。
又、弾性部材が長期使用で劣化、変形、摩耗、或は、異物付着により損傷したり等の不具合が生じ易く、反ハンドル側側板のフレ−ムに対する密着固定を安定して維持出来ない。
【０００４】
特許文献２の公報の構成は、反ハンドル側側板に一体的に形成した爪部を有する筒部を、係合凹部を有するフレ−ムのスプ−ル開口部に嵌合回転して抜け止め固定する構成として、反ハンドル側側板に設けた制動装置の調節ツマミの中央部に装着したネジ部材で、フレ−ムに対して反ハンドル側側板を抜け止め固定しているので、反ハンドル側側板の幅寸法が大型化して握持保持性に劣ると共に、保持する掌に露出したネジ部材が位置するので、保持の際に違和感が生じる。
又、魚のヌメリ、異物が付着している掌に触れるので、ネジ部材が汚れてネジ山も詰まり易く、着脱作業が容易に行えなくなる問題も生じる。
【０００５】
本発明の目的は前記欠点に鑑み、枠体と反ハンドル側の側板の係脱作業が容易で良好な握持保持性が得られる魚釣用リ−ルを提供することである。
【課題を解決するための手段】
【０００６】
本発明の請求項１は、リ−ル本体の枠体の両側に装着された左右側板間に配置されたスプ−ルを前記一方の側板に設けたハンドルの回転操作で巻き取り回転可能とすると共に、他方の側板内側に一体的に形成した筒体を前記枠体の開口部に嵌挿し、該筒体と開口部との間に形成した係合手段により、前記枠体に対して前記反ハンドル側の他方の側板を着脱自在に抜け止め固定した魚釣用リ−ルにおいて、前記ハンドル側の側板から反ハンドル側の側板に向けて嵌挿された螺杆の締め付けによって、該反ハンドル側の側板を前記枠体に対して回り止め固定したことを要旨とするものである。
本発明の請求項２は、前記螺杆は、スプ−ル軸より上部で且つ前方におけるリ−ル本体の左右側板間に配置されていることを要旨とするものである。
本発明の請求項３は、前記螺杆は、枠体の両側間に露出状態で配置されていることを要旨とするものである。
【発明の効果】
【０００７】
請求項１の本発明により、ハンドル側の右側側板から反ハンドル側の左側側板に向けて嵌挿された螺杆の締め付けにより、反ハンドル側の左側側板を枠体に対して回り止めした状態で締め付け固定する構成を採用したので、枠体の開口部に対する反ハンドル側の左側側板の筒体を嵌合回転しての係脱作業を、抵抗力の影響を受けずに容易に行え、作業性が向上すると共に反ハンドル側の左側側板の外側に締め付け部材が存在しないので、良好な握持保持性が得られ、又、握持保持の際の異物付着による影響も防止できる。
請求項２の本発明により、リ−ル本体のスプ−ル軸より上部で且つ前方に締め付け部材（螺杆）が配置されているので、握持保持の際に邪魔にならず、魚釣り操作性が向上する。
請求項３の本発明により、螺杆を枠体の左右両側枠間に露出状態で配置したので、釣糸放出操作時におけるバックラッシュ現象（スプ−ル過回転で、釣糸が径方向外方に膨出）が生じても、螺杆に釣糸を接触させることによって枠体の左右両側枠間に架設された支柱サムレストへの直接的な接触を抑制できるので、釣糸への傷発生が抑えられて釣糸の寿命が伸びる。
【発明を実施するための最良の形態】
【０００８】
枠体１の左側枠１ａの大径の開口部１ｆに一方のフランジ部４ｂが嵌挿され、開口部１ｆの外側の複数箇所に中心方向に向けてＬ字形で鈎形の係合部１ｇが形成されると共に、開口部１ｆの前側の上部の左右両側枠１ａ、１ｂに透孔１ｈ、１ｉが形成されている。
反ハンドル側の左側側板２に大径の筒体２ｂが形成されて筒体２ｂの先端外周には開口部１ｆの内径に嵌合される嵌合筒部２ｃが形成されている。
筒体２ｂの外周には軸線方向に複数本の突堤が形成されて突堤に周方向のスリ割溝２ｄで周方向の矩形の係合部２ｅが形成されている。
係合部２ｅは係合部１ｇに係合されて係合手段が構成されている。
透孔１ｈ位置の外側の反ハンドル側の左側側板２の縁には縁面から幾分突出するように突出部２ｆが形成されて突出部２ｆにナット１３が埋設されている。
透孔１ｉ位置の外側のハンドル側の右側側板３には透孔３ａが穿設されている。
透孔３ａと透孔１ｉと透孔１ｈには螺杆５が挿通されてネジ部５ａはナット１３に螺合される。
螺杆５のハンドル側にはツマミ５ｂが設けられ、側枠１ｂとハンドル側の右側側板３の中の螺杆５にＥリングが嵌合されて抜け止めされている。
螺杆５はサムレスト１ｃの下側でスプ−ル４の上方で露出されている。
【実施例１】
【０００９】
以下、図示の実施例によって本発明を説明すると、魚釣用リ−ルを魚釣用両軸受型リ−ルで述べれば、図１は魚釣用両軸受型リ−ルの要部断面平面図、図２は枠体から反ハンドル側の側板が係脱された要部拡大断面平面図、図３は魚釣用両軸受型リ−ルの要部断面背面図、図４は枠体から反ハンドル側の側板が係脱された要部拡大断面背面図、図５は枠体の両側枠間の断面側面図、図６は反ハンドル側の枠体の側面図、図７は反ハンドル側の側板の内側の側面図、図８は反ハンドル側の枠体に反ハンドル側の側板が開口部と筒体で嵌合された拡大側面図である。
【００１０】
魚釣用両軸受型リ−ルは、リ−ル本体Ａが枠体１と枠体１の左右両側枠１ａ、１ｂに取り付けられた反ハンドル側の左側側板２とハンドル側の右側側板３で構成されている。
枠体１は左右両側枠１ａ、１ｂと左右両側枠１ａ、１ｂ間の前側上部を覆うサムレスト１ｃとリ−ル脚１ｄと固定板１ｅが一体的に、かつ左右両側枠１ａ、１ｂが平行に保持されている。
左右両側枠１ａ、１ｂ間の前側にはフロントカバ−１０が取り付けられている。
左側枠１ａには大径の開口部１ｆが形成されている。
両側枠１ａ、１ｂ間にはスプ−ル４が配設され、スプ−ル４が固定されたスプ−ル軸１１は反ハンドル側の左側側板２に取り付けられた一方の軸受１２と側枠１ｂ側に取り付けられた図示しない他方の軸受で回転可能に軸承されている。
スプ−ル４は釣糸巻回胴部４ａと両側のフランジ部４ｂ、４ｃで形成されている。
開口部１ｆの内径は一方のフランジ部４ｂの外径より幾分大きく形成されている。
開口部１ｆの外側の複数箇所に中心方向に向けてＬ字形で鈎形の係合部１ｇが形成されている。
開口部１ｆの前側の上部の左右両側枠１ａ、１ｂに透孔１ｈ、１ｉが形成されている。
【００１１】
反ハンドル側の左側側板２には軸受１２を保持する筒部２ａが一体形成され、その外側に大径の筒体２ｂが一体形成されている。
筒体２ｂの先端外周には開口部１ｆの内径に嵌合される嵌合筒部２ｃが形成されている。
筒体２ｂの外周には軸線方向に複数本の突堤が形成されて突堤に周方向のスリ割溝２ｄで周方向の矩形の係合部２ｅが形成されている。
係合部２ｅは係合部１ｇに係合されて係合手段が構成されている。
透孔１ｈ位置の外側の反ハンドル側の左側側板２の縁には縁面から幾分突出するように突出部２ｆが形成されて突出部２ｆにナット１３が埋設されている。
透孔１ｉ位置の外側のハンドル側の右側側板３には透孔３ａが穿設されている。
透孔３ａと透孔１ｉと透孔１ｈには螺杆５が回動可能に挿通されてネジ部５ａはナット１３に螺合される。
左側枠１ａの螺杆５が突出する位置の内側面を１ｊとする。
螺杆５のハンドル側にはツマミ５ｂが設けられ、側枠１ｂとハンドル側の右側側板３の中の螺杆５にＥリングが嵌合されて抜け止めされている。
螺杆５はサムレスト１ｃの下側でスプ−ル４の上方で露出されている。
螺杆５はサムレスト１ｃの中に開けた透孔に挿通するようにしてもよい。
【００１２】
スプ−ル軸１１にピニオン６が嵌合されると共に軸方向に移動可能に軸承され、スプ−ル軸１１とピニオン６にはクラッチ機構の図示しなし係合凹部と係合凸部が設けられている。
クラッチ機構のＯＮ／ＯＦＦ操作は左右両側枠１ａ、１ｂ間の後側に設けられた押圧操作部７で操作される。
ピニオン６には駆動歯車１４が噛合されている。
駆動歯車１４はハンドル軸１５に摩擦結合され、ハンドル側の右側側板３から突出したハンドル軸１５にハンドル１６が取り付けられている。
ハンドル１６がスプ−ル４に釣糸が巻回される方向に回転されると、駆動歯車１４とピニオン６を介してスプ−ル４が回転される。
左右両側枠１ａ、１ｂ間のスプ−ル４より釣糸繰出し方向側に図５のように釣糸案内装置Ｂが設けられている。
【００１３】
枠体１の左側枠１ａに反ハンドル側の左側側板２が取り付けられる時は、螺杆５をハンドル側に引っ込めて図８のように反ハンドル側の左側側板２を傾けて筒体２ｂの嵌合筒部２ｃを開口部１ｆの内径に嵌挿し、左側側板２を時計方向に回動すると、係合部２ｅは係合部１ｇに係合される。
この時、左側側板２の外周形状が左側枠１ａの外周形状に合致したところで、左側側板２の縁面から幾分突出した突出部２ｆが左側枠１ａの内側面１ｊとの係合による協動作用で規制されて左側側板２の時計方向の回動が停止される。
尚、突出部２ｆは左側側板２の縁面と同一面にして手の指の感触で左側枠１ａと左側側板２の外周形状の合致を感知してもよい。
次に螺杆５を押し込んでネジ部５ａをナット１３に螺合して締め付けると枠体１に反ハンドル側の左側側板２が回り止め固定されると共に、枠体１の左側枠１ａの外周形状と左側側板２の外周形状が一致した状態に位置決めされて固定される。
枠体１から反ハンドル側の左側側板２が離脱される時は、螺杆５を緩めて引出し、反ハンドル側の左側側板２を反時計方向に回動することで離脱できる。
【００１４】
魚釣用両軸受型リ−ルの動作は、押圧操作部７が上方にあるクラッチ機構のＯＮ状態でハンドル１６がスプ−ル４に釣糸１７が巻回される方向に回転されると、駆動歯車１４とピニオン６を介してスプ−ル軸１１とスプ−ル４が回転され、釣糸案内装置Ｂで案内された釣糸１７がスプ−ル４に巻き取られる。
【００１５】
前記のように魚釣用リ−ルが構成されると、ハンドル側の右側側板３から反ハンドル側の左側側板２に向けて嵌挿された螺杆５の締め付けにより、反ハンドル側の左側側板２を枠体１に対して回り止めした状態で締め付け固定する構成を採用したので、枠体１の開口部１ｆに対する反ハンドル側の左側側板２の筒体２ｂを嵌合回転しての係脱作業を、抵抗力の影響を受けずに容易に行え、作業性が向上すると共に反ハンドル側の左側側板２の外側に締め付け部材が存在しないので、良好な握持保持性が得られ、又、握持保持の際の異物付着による影響も防止できる。
リ−ル本体Ａのスプ−ル軸１１より上部で且つ前方に締め付け部材（螺杆５）が配置されているので、握持保持の際に邪魔にならず、魚釣り操作性が向上する。
螺杆５を枠体１の左右両側枠１ａ、１ｂ間に露出状態で配置したので、釣糸放出操作時におけるバックラッシュ現象（スプ−ル過回転で、釣糸１７が径方向外方に膨出）が生じても、螺杆５に釣糸１７を接触させることによって枠体１の左右両側枠１ａ、１ｂ間に架設された支柱サムレスト１ｃへの直接的な接触を抑制できるので、釣糸１７への傷発生が抑えられて釣糸の寿命が伸びる。
【産業上の利用可能性】
【００１６】
前記説明では、魚釣用リ−ルを手巻き専用の魚釣用両軸受型リ−ルで述べたが、電動リ−ルに実施してもよい。
【図面の簡単な説明】
【００１７】
【図１】魚釣用両軸受型リ−ルの要部断面平面図である。
【図２】枠体から反ハンドル側の側板が係脱された要部拡大断面平面図である。
【図３】魚釣用両軸受型リ−ルの要部断面背面図である。
【図４】枠体から反ハンドル側の側板が係脱された要部拡大断面背面図である。
【図５】枠体の両側枠間の断面側面図である。
【図６】反ハンドル側の枠体の側面図である。
【図７】反ハンドル側の側板の内側の側面図である。
【図８】反ハンドル側の枠体に反ハンドル側の側板が開口部と筒体で嵌合された拡大側面図である。
【符号の説明】
【００１８】
Ａ  リ−ル本体
１  枠体
１ｆ  開口部
１ｇ  係合部
２  反ハンドル側の側板
２ｂ  筒体
２ｅ  係合部
３  ハンドル側の側板
４  スプ−ル
５  螺杆
１１  スプ−ル軸
１６  ハンドル
【図１】
2005218401.tif 000003
【図２】
2005218401.tif 000004
【図３】
2005218401.tif 000005
【図４】
2005218401.tif 000006
【図５】
2005218401.tif 000007
【図６】
2005218401.tif 000008
【図７】
2005218401.tif 000009
【図８】
2005218401.tif 000010